(57)【特許請求の範囲】
【請求項１】
水酸化マグネシウム及び／又は酸化マグネシウムを７０質量％以上含有する、平均粒子径が０．１〜５０ｍｍの範囲にある粒状物である、固体表面に形成された細菌と細菌の排出物とを含有するぬめりの剥離除去剤。
【請求項２】
粒状物が水酸化マグネシウム及び／又は酸化マグネシウムを９０質量％以上含有する請求項１に記載のぬめりの剥離除去剤。
【請求項３】
酸化マグネシウムを５０質量％以上含有する、平均粒子径が０．１〜５０ｍｍの範囲にある粒状物である、固体表面に形成された細菌と細菌の排出物とを含有するぬめりの剥離除去剤。
【請求項４】
嵩密度が１．５〜３．５ｇ／ｃｍ3の範囲にある請求項３に記載のぬめりの剥離除去剤。
【請求項５】
水酸化マグネシウム及び／又は酸化マグネシウムを７０質量％以上含有する、平均粒子径が０．１〜５０ｍｍの範囲にある粒状物を、内部表面に細菌と細菌の排出物とを含有するぬめりが発生している排水管の開口部又はその周囲、もしくは排水管内のぬめりの発生位置よりも上流側の位置に設置し、排水管の開口部もしくはその周囲から排水管内に水を流すことによって、水酸化マグネシウム及び／又は酸化マグネシウムを溶解した水をぬめりに接触させることからなる排水管の内部表面に発生したぬめりの剥離除去方法。
【請求項６】
排水管が、台所、浴室又は洗面所の排水管である請求項５に記載のぬめりの剥離除去方法。
【請求項７】
酸化マグネシウムを５０質量％以上含有する、平均粒子径が０．１〜５０ｍｍの範囲にある粒状物を、内部表面に細菌と細菌の排出物とを含有するぬめりが発生している排水管の開口部又はその周囲、もしくは排水管内のぬめりの発生位置よりも上流側の位置に設置し、排水管の開口部もしくはその周囲から排水管内に水を流すことによって、酸化マグネシウムを溶解した水をぬめりに接触させることからなる排水管の内部表面に発生したぬめりの剥離除去方法。
【発明の詳細な説明】
【技術分野】
【０００１】
本発明は、排水管などの固体表面に発生しているぬめりを剥離除去するのに有利に用いることができるぬめりの剥離除去剤、及び該ぬめり剥離除去剤を利用したぬめりの剥離除去方法に関するものである。
【背景技術】
【０００２】
台所、浴室、洗面所などの水回りの排水管の内部表面には、ぬめりが発生し易い。ぬめりは美感を損ねるだけでなく、異臭の原因となる。このため、排水管に発生したぬめりを剥離除去することが必要となる。
【０００３】
ぬめりは、食物残渣や人体の老廃物を栄養源として増殖した細菌と、細菌の排出物とを含有する粘性物である。細菌（特に、緑膿菌）の排出物としては、アルギン酸カルシウム塩などの多糖類、タンパク質などが含まれる。このようなぬめりを排水管から剥離除去するためには、ぬめりに含まれるタンパク質あるいは多糖類を分解することが必要となる。
【０００４】
特許文献１には、タンパク質分解能力に優れたぬめり除去剤として、次亜塩素酸アルカリ金属塩を主基材として、Ｎ−アシルサルコシン塩、トリアルキルアミンオキシド、又はアルキルスルホン酸塩から選ばれる少なくとも一種の界面活性剤、水酸化アルカリ金属塩、及び水を含有するぬめり除去剤が開示されている。
【特許文献１】特開２００３−５５６９８号公報
【発明の開示】
【発明が解決しようとする課題】
【０００５】
上記の特許文献１に開示されている次亜塩素酸アルカリ金属塩を有効成分とするぬめり除去剤は、ぬめりの剥離除去に対して即効性はあるが、その除去効果が短いという問題がある。
本発明の目的は、ぬめりの除去効果を長期間にわたって持続させることができるぬめり剥離除去剤を提供することにある。
【課題を解決するための手段】
【０００６】
本発明者は、排水管などの固体表面に発生したぬめりに、弱アルカリ性のマグネシウム水溶液を接触させると、ぬめりが固体表面から剥離し易くなることを見出した。そして、ぬめりが発生している排水管の開口部又はその周囲、もしくは排水管内のぬめりの発生位置よりも上流側の位置に、水酸化マグネシウムや酸化マグネシウムを含有する粒状物を設置すると、排水管内を流れる水に、少量ずつ水酸化マグネシウム及び／又は酸化マグネシウムが溶解して、長期間にわたって弱アルカリ性のマグネシウム水溶液をぬめりに接触させることができ、排水管の内部表面を、ぬめりを剥離除去した状態に長期間にわたって維持することが可能となることを確認して、本発明を完成した。なお、ぬめりに弱アルカリ性のマグネシウム水溶液を接触させることによって、ぬめりが固体表面から剥離し易くなるのは、ぬめりの粘性成分の一つであるアルギン酸カルシウム塩のカルシウムイオンがマグネシウムイオンに置換して、アルギン酸が水に溶解するためであると考えられる。
【０００７】
従って、本発明は、水酸化マグネシウム及び／又は酸化マグネシウムを５０質量％以上含有する、平均粒子径が０．１〜５０ｍｍの範囲にある粒状物を含む、固体表面に形成された細菌と細菌の排出物とを含有するぬめりの剥離除去剤にある。
【０００８】
本発明のぬめり剥離除去剤の好ましい態様は、次の通りである。
（１）粒状物が酸化マグネシウム及び／又は水酸化マグネシウムを９０質量％以上含有する。
（２）粒状物が水酸化マグネシウムを５０質量％以上含有し、嵩密度が１．０〜２．４ｇ／ｃｍ3の範囲にある。
（３）粒状物が酸化マグネシウムを５０質量％以上含有し、嵩密度が１．５〜３．５ｇ／ｃｍ3の範囲にある。
【０００９】
本発明はまた、水酸化マグネシウム及び／又は酸化マグネシウムを５０質量％以上含有する、平均粒子径が０．１〜５０ｍｍの範囲にある粒状物を、内部表面に細菌と細菌の排出物とを含有するぬめりが発生している排水管の開口部又はその周囲、もしくは排水管内のぬめりの発生位置よりも上流側の位置に設置し、排水管の開口部もしくはその周囲から排水管内に水を流すことによって、水酸化マグネシウム及び／又は酸化マグネシウムを溶解した水をぬめりに接触させることからなる排水管の内部表面に発生したぬめりの剥離除去方法にもある。排水管は、例えば、台所、浴室又は洗面所の排水管である。
【発明の効果】
【００１０】
本発明のぬめり剥離除去剤を、ぬめりが発生している排水管に適用することによって、長期間にわたってぬめりを除去した状態に維持することができる。また、本発明のぬめり剥離除去方法を利用することによって、ぬめりが発生している排水管の内部表面を、ぬめりを剥離除去した状態に長期間にわたって維持することができる。
【発明を実施するための最良の形態】
【００１１】
本発明のぬめり剥離除去剤は、有効成分として水酸化マグネシウム及び／又は酸化マグネシウムを５０質量％以上含有する、平均粒子径（粒子最長部の平均長さ）が０．１〜５０ｍｍの範囲にあるマグネシウム含有粒状物からなる。マグネシウム含有粒状物の水酸化マグネシウム及び／又は酸化マグネシウム含有率は、７０質量％以上であることが好ましく、８０質量％以上であることがより好ましく、９０質量％以上であることがさらに好ましく、９０〜９８質量％の範囲にあることが特に好ましい。粒状物の平均粒子径は、０．５〜２０ｍｍの範囲にあることが好ましい。
【００１２】
マグネシウム含有粒状物の形状には特に制限はなく、球状、円柱状、アーモンド状など任意の形状とすることができる。
【００１３】
マグネシウム含有粒状物は、空隙が多くなり過ぎると強度が低下し、水との接触によって崩壊し易くなる。また、空隙が少なくなり過ぎると水への溶解性が低下する。従って、マグネシウム含有粒状物の嵩密度は重要である。有効成分を水酸化マグネシウムとする水酸化マグネシウム含有粒状物の場合は、嵩密度が１．０〜２．４ｇ／ｃｍ3の範囲にあることが好ましい。また、有効成分を酸化マグネシウムとする酸化マグネシウム含有粒状物の場合は、嵩密度が１．５〜３．５ｇ／ｃｍ3の範囲にあることが好ましい。
【００１４】
水酸化マグネシウム含有粒状物は、例えば、天然鉱石のブルーサイト（水滑石）を粉砕し分級する方法、あるいは水酸化マグネシウム粉末を造粒する方法により製造することができる。
【００１５】
造粒により水酸化マグネシウム含有粒状物を製造するのに用いる水酸化マグネシウム粉末は、海水、かん水及び苦汁などのマグネシウムイオンを含有する水溶液に石灰乳などのアルカリ性剤を添加することによって得られたものであることが好ましい。
【００１６】
酸化マグネシウム含有粒状物は、例えば、マグネサイト（菱苦土鉱）及びブルーサイト（水滑石）などのマグネシウム含有天然鉱石を焼成して得た酸化マグネシウム塊状物を粉砕し分級する方法、加熱によって酸化マグネシウムを生成するマグネシウム化合物の粉末を加熱して焼結させる方法、あるいは酸化マグネシウム粉末を造粒する方法により製造することができる。
【００１７】
酸化マグネシウム含有粒状物の製造に用いるマグネシウム化合物粉末の例としては、水酸化マグネシウム粉末、炭酸マグネシウム粉末、硫酸マグネシウム粉末及び塩化マグネシウム粉末を挙げることができる。マグネシウム化合物粉末を用いて酸化マグネシウム含有粒状物を製造するに際しては、マグネシウム化合物粉末を造粒した後に加熱して焼結させるか、もしくはロータリーキルンを用いて、マグネシウム化合物粉末を造粒しながら加熱して焼結させることが好ましい。マグネシウム化合物粉末の加熱温度は、１４００℃以上であることが好ましく、１６００〜２０００℃の範囲にあることが特に好ましい。
【００１８】
造粒により酸化マグネシウム含有粒状物を製造するのに用いる酸化マグネシウム粉末は、軽焼酸化マグネシウム粉末であることが好ましい。
【００１９】
水酸化マグネシウムと酸化マグネシウムとを含む粒状物は、例えば、水酸化マグネシウム含有粒状物を焼成して、水酸化マグネシウムの一部を酸化マグネシウムとする方法、酸化マグネシウム含有粒状物を水に接触させて、酸化マグネシウムの一部を水酸化マグネシウムとする方法、水酸化マグネシウム粉末と酸化マグネシウム粉末との混合物を造粒する方法により製造することができる。
【００２０】
水酸化マグネシウム粉末、酸化マグネシウム粉末及びマグネシウム化合物粉末の造粒には、加圧形成法や押出法などの公知の造粒法を用いることができる。造粒の際には、必要に応じて水や糖蜜などのバインダーを使用してもよい。
【００２１】
本発明のぬめり剥離除去剤には、本発明の効果を損なわない範囲で、次亜塩素酸アルカリ金属塩、好気性細菌及び抗菌剤などの補助成分を配合することができる。
【００２２】
次亜塩素酸アルカリ金属塩は、ぬめりに含まれる多糖類やタンパク質を分解する作用がある。次亜塩素酸アルカリ金属塩の例としては、次亜塩素酸ナトリウム及び次亜塩素酸カリウムを挙げることができる。
【００２３】
好気性細菌は、ぬめりを形成する細菌の栄養源となる食物残渣や人体の老廃物を、異臭を放出せずに分解する作用がある。好気性細菌の例としては、枯草菌及びＥＭ菌を挙げることができる。
【００２４】
抗菌剤は、ぬめりを形成する細菌の増殖を抑制して、ぬめりの発生を抑える作用がある。抗菌剤の例としては、酸化チタン、銅及び銀を挙げることができる。
【００２５】
補助成分は、マグネシウム含有粒状物と分離していてもよい。また、補助成分をマグネシウム含有粒状物の表面の一部もしくは全体に担持させて、補助成分とマグネシウム含有粒状物とを一体化してもよい。補助成分の使用量は、マグネシウム含有粒状物と補助成分との質量比で、５０：５０〜９９：１（マグネシウム含有粒状物：補助成分）の範囲となる量であることが好ましい。
【００２６】
本発明のぬめり剥離除去剤は、台所、洗面所、浴室及び洗濯機の排水管に発生しているぬめりの剥離除去剤として有利に使用することができる。
【００２７】
本発明のぬめり剥離除去剤は、そのままの状態で、あるいは多孔性容器に収容した状態で、ぬめりの発生している排水管に設置することができる。ぬめり剥離除去剤を収容するための多孔性容器としては、合成繊維製網状袋、不織布製袋、及び内部にぬめり剥離除去剤の収容部を有し、該収容部に水を導入するための導水口と、該収容部に導入された水を外部に導出するための導出口とを備えた合成樹脂製ケースを挙げることができる。
【００２８】
ぬめり剥離除去剤の設置場所は、排水管に流れる水に接する位置であれば特には制限はないが、通常は、排水管の開口部、開口部の周囲、及び排水管内のぬめりの発生位置よりも上流側の位置である。排水管にトラップが付設されている場合には、ぬめり剥離除去剤をトラップの内部、特に封水部に設置してもよい。
【００２９】
本発明のぬめり剥離除去剤を用いた、ぬめり剥離除去方法の実施態様の例を、図１を用いて説明する。
【００３０】
図１は、本発明のぬめり剥離除去剤を、台所流し台の排水口に接続するトラップ付き排水管に設置する際の設置例を示す一例の断面図である。
図１において、台所流し台の排水口１と排水管２と間に付設されているトラップ３は、排水口１の縁部にて支持されているゴミ取り用バスケット４、トラップ内壁面に形成されている椀支持部５、椀支持部５にて支持されている椀６、及び水で満たされた封水部７からなる椀トラップ（ベルトラップ）である。ゴミ取り用バスケット４の底部並びにゴミ取り用バスケット４と椀６との間には、ぬめり剥離除去剤８が袋状多孔性容器９に収容された状態で設置されている。さらに、封水部７の排水管２の周囲には、ぬめり剥離除去剤８がドーナツ状の袋状多孔性容器１０に収容された状態で設置されている。
【００３１】
図１のトラップ付き排水管では、台所流し台の排水口１からトラップ３に流れた水は、ぬめり剥離除去剤８に含まれる水酸化マグネシウム及び／又は酸化マグネシウムを溶解し、弱アルカリ性（ｐＨ＝８〜１１）のマグネシウム水溶液として、トラップ３及び排水管２に流れて、トラップ３及び排水管２の内部表面に発生したぬめりと接触して、ぬめりが剥離除去される。
【実施例】
【００３２】
［実施例１］
ぬめりが排水管に発生している台所流し台を用意した。排水管は、図１に示した椀トラップ付き排水管である。ぬめりは、ゴミ取り用バスケット、椀及び排水管内壁に発生しており、異臭が発生している。台所流し台の平均水道水使用量は１２０Ｌ／日である。
【００３３】
酸化マグネシウム含有粒状物１００ｇを、塩化ビニル製ネット（網目のサイズ２ｍｍ）に収容し、これを上記台所流し台のゴミ取り用バスケットに紐で吊してゴミ取り用バスケットと椀との間に設置し、６０日間、この状態で台所流し台を使用した。酸化マグネシウム含有粒状物は、酸化マグネシウム含有率が９９質量％、平均粒子径が５ｍｍ、そして嵩密度が３．３ｇ／ｃｍ3である。この酸化マグネシウム含有粒状物は、海水に石灰乳を投入して、生成した水酸化マグネシウムをろ過、乾燥して製造した水酸化マグネシウム粉末を、ロータリーキルンを用いて、回転造粒しながら１８００℃の温度に加熱し、焼結させて製造した粒状物を、篩を用いて分級して製造したものである。
【００３４】
酸化マグネシウム含有粒状物の設置後の状態を目視で観察した結果、酸化マグネシウム含有粒状物を設置した翌日には、ゴミ取り用バスケット内のぬめりが消失していた。また、酸化マグネシウム含有粒状物を設置してから４日後には、椀のぬめりが消失していた。さらに、酸化マグネシウム含有粒状物を設置してから７日後には、排水管内壁のぬめりが消失していた。異臭の発生は、酸化マグネシウム含有粒状物を設置した翌日からおさまり、それ以後、異臭は発生しなかった。
【図面の簡単な説明】
【００３５】
【図１】本発明のぬめり剥離除去剤を、台所流し台の排水口に接続するトラップ付き排水管に設置する際の設置例を示す一例の断面図である。
【符号の説明】
【００３６】
１  台所流し台の排水口
２  排水管
３  トラップ
４  ゴミ取り用バスケット
５  椀支持部
６  椀
７  封水部
８  ぬめり剥離除去剤
９  袋状多孔性容器
１０  ドーナツ状の袋状多孔性容器
【図１】
0005330682.tif 000002